(57)【要約】【課題】毎月の収入予定と支出予算をあらかじめ計上しておき、そして実際に発生した費用の累計額と予算との差額を比較しながら予算管理の出来る家計簿を提供する。【解決手段】左側と右側に書き分けて見開き２頁で管理できるようにした家計簿であって、その左側頁を給与など毎月の予定収入をあらかじめ記載する収入欄１と、銀行等への積立金を記載する貯蓄欄２と、保険金、年金等を記載する保険・年金欄３と、電気、ガス代、食費、雑費等を記載する生活費欄４とを順に設け、最終段に当月の支出総計欄５と、総収入から総支出を差し引いた月次精算欄６とで構成し、右側頁を毎日発生する食費を１日分まとめて記載する食費欄７と、雑費が発生する毎に記載する雑費欄８とで構成した。【選択図】図１
0003128341.tif 000002
【実用新案登録請求の範囲】
【請求項１】
左側と右側に書き分けて見開き２頁で管理できるようにした家計簿であって、その左側頁を給与など毎月の予定収入をあらかじめ記載する収入欄（１）と、銀行等への積立金を記載する貯蓄欄（２）と、保険金、年金等を記載する保険・年金欄（３）と、電気、ガス代、食費、雑費等を記載する生活費欄（４）とを順に設け、最終段に当月の支出総計欄（５）と、総収入から総支出を差し引いた月次精算欄（６）とで構成し、右側頁を毎日発生する食費を１日分まとめて記載する食費欄（７）と、雑費が発生する毎に記載する雑費欄（８）とで構成したことを特徴とする家計簿。
【請求項２】
前記左側頁の生活欄（４）は、住居費、電気代、水道代、ガス代、ガソリン代、そして月謝や小遣い等の予算欄と実費欄とで構成されており予算は月初めに、実費は発生したときに一括して記載するようにした請求項１記載の家計簿。
【請求項３】
前記右側頁の食費欄（７）は、１日〜３１日まで連続した日付欄の右側に当日の費用明細と金額、累計を順に記載するようになっており、雑費欄（８）は、発生都度、その日付、明細、金額及び累計額を記載するようになっており、月初めに記載する食費予算及び雑費予算と食費欄（７）及び雑費欄（８）の累計額とを比較して食費と雑費の予算管理をするようにした請求項１記載の家計簿。
【請求項４】
月末に前記食費欄（７）及び雑費欄（８）の支出総計と、食費予算及び雑費予算を左側頁の生活欄（４）の予算欄と実費欄にそれぞれ転記するようにした請求項１または請求項２または３記載の家計簿。
【請求項５】
年間収支決算書（９）及び特別出費管理表（１０）を別途設け、前記家計簿の項目毎の収支月次集計及び特別出費を月度別に年間収支決算書（９）に各転記するようにした請求項１記載の家計簿。
【請求項６】
前記特別出費を管理する特別出費管理表（１０）が費用発生時の日付、明細、金額を順に記載できるようになっている請求項５記載の家計簿。
【請求項７】
請求項１記載の見開き２頁からなる月次収支簿を１葉の用紙で管理できるようにした家計簿。
【考案の詳細な説明】
【技術分野】
【０００１】
本考案は、毎日の家計を予算管理し金銭の出入りを簡単に記帳できる家計簿に関する。
【背景技術】
【０００２】
従来、家計簿を予算も含めて見やすく管理し記帳するものがいろいろと提案されている。例えば特許文献１のものは１ケ月の収入と支出を１葉の用紙に書き分けて月毎の収支決算が出来るようにしたものであり、特許文献２のものは月別収表と日計表とからなるものであり、特許文献３のものは財産管理を目的としたもので銀行口座の引出し、引き落とし、預け入れが一目でわかるようにしたものである。然しながらこれら従来の家計簿は、予算との比較が直ちに一目でわかるようになっていないため予算に対して使い過ぎても手元に現金があるとつい買い過ぎてしまうという問題があった。
【０００３】
【特許文献１】実開昭６１―６７１６８号公報
【特許文献２】実用新案登録第３０２２１１４号公報
【特許文献３】実用新案登録第３０８８９２５号公報
【考案の開示】
【考案が解決しようとする課題】
【０００４】
上記の問題点に鑑み本考案の家計簿は毎月の収入及び支出がほぼ固定的に発生する費目があることに着目し、その項目ごとに固定的な収入と支出をあらかじめ計上しておき、そして実際に発生した費用を記入し、その累計額と予算との差額を比較しながら予算管理の出来る家計簿を提供する。
【課題を解決するための手段】
【０００５】
本考案の家計簿は、左側と右側に書き分けて見開き２頁で管理できるようにした家計簿であって、その左側頁を給与など毎月の予定収入をあらかじめ記載する収入欄１と、銀行等への積立金を記載する貯蓄欄２と、保険金、年金等を記載する保険・年金欄３と、電気、ガス代、食費、雑費等を記載する生活費欄４とを順に設け、最終段に当月の支出総計欄５と、総収入から総支出を差し引いた月次精算欄６とで構成し、右側頁を毎日発生する食費を１日分まとめて記載する食費欄７と、雑費が発生する毎に記載する雑費欄８とで構成したことを特徴とする。
【０００６】
前記左側頁の生活欄４は、住居費、電気代、水道代、ガス代、ガソリン代、そして月謝や小遣い等の予算欄と実費欄とで構成されており予算は月初めに、実費は発生したときに一括して記載するようにした。また前記右側頁の食費欄７は、１日〜３１日まで連続した日付欄の右側に当日の費用明細と金額、累計を順に記載するようになっており、雑費欄８は、発生都度、その日付、明細、金額及び累計額を記載するようになっており、月初めに記載する食費予算及び雑費予算と食費欄７及び雑費欄８の累計額とを比較して食費と雑費の予算管理をするようにした。
【０００７】
月末に前記食費欄７及び雑費欄８の支出総計と、食費予算及び雑費予算を左側頁の生活欄４の予算欄と実費欄にそれぞれ転記するようにした。更に年間収支決算書９及び特別出費管理表１０を別途設け、前記家計簿の項目毎の収支月次集計及び特別出費を月度別に年間収支決算書９に各転記するようにした。
【０００８】
前記特別出費を管理する特別出費管理表１０が費用発生時の日付、明細、金額を順に記載できるようになっており、また前記見開き２頁からなる月次収支簿を１葉の用紙で管理できるようにしたことなどを特徴としている。
【考案の効果】
【０００９】
本考案の家計簿は、見開き２頁で1ケ月分の予算と支払いが項目ごとに全て記入できるので管理し易すく、また収支、貯蓄、保険、年金、生活費を縦に並べて作成することにより、見た目にも理解し易い。また本考案の家計簿は固定的に発生する費用については予算を書き込むようにし、その横に実費を書き込むようにしたので月末に何の費目が予算内で収められたか、あるいは予算をオーバーしたかが容易に把握できるようになっている。特にガス、電気、水道、ガソリンなど省エネ対策に効果的である。また本考案の家計簿は、食費、雑費を使った日毎に記入、累計していくので予算に対して現在どのくらい消費しているかその都度予算に対する残金が確認できる。
【００１０】
月毎の収支が見開き２頁で管理されているので内容が一目瞭然で把握しやすく、また月毎に集計されるので年間収支決算が作成しやすい。更に１頁前の頁を捲るだけで前月分のすべての記録が一目瞭然なので、食費は勿論のこと、水道光熱費、ガス、ガソリンなど前月分、前々月分などとの比較が容易に出来るので少しでも前月分よりも節約してみようかと頑張ってみる気持ちが沸いて来る。また予算に対してオーバーした時は、メモ欄にその理由を書き入れておくと後々参考になる。
【００１１】
月初めに見開きの左側頁に収入、貯蓄、固定的に発生する生活費の概算予算を記入し、その後、毎日書き込むのは右側頁の食費、雑費のみでよいので非常に簡潔である。また食費と雑費は月初の予算に対し使った累計額を書き込むようになっているので今現在、予算に対して使った金額、予算に対して使い過ぎていないかという実態がすぐ分かるので使い過ぎの場合は、買い控えをすることを心がけるようになる。また年間収支決算表を作成することにより、年間のしっかりとした収支が把握でき、今後の生活設計に役立つ。
【００１２】
従来の家計簿に比較して、簡単に処理するために工夫したことは、「毎月出費するであろう必要経費」の中で、例えば新聞代、受信料なども雑費に組み入れ簡略化したことである。そのために色々な費目が雑費に組み込まれることになる。また実際に使用する場合は、出費の内容によって色分けして記入する。そうすることによりそれぞれに使った金額が明確になり、もしそれぞれの合計金額把握したい時に計算しやすい。例えば大人の出費を青、子供の出費をピンク、公共料金を緑、その他は黒などにする。
【考案を実施するための最良の形態】
【００１３】
本考案の家計簿は、見開き２頁で1か月分を予算から実費までのすべてを記入するところにある。また収支、貯蓄、保険、年金、生活費を縦に並べて作成することにより、見た目にも理解しやすく、それぞれ容易に費用ごとの集計が可能である。
【実施例１】
【００１４】
本考案のひとつの実施例を以下、図面に基づいて説明する。図１は見開き２頁の左側頁であり、その最上段に収入欄１を設けて給与、パート代など固定的に入る毎月の収入概算をあらかじめ記載しておく。その下段に貯蓄欄２を設けて銀行名と毎月の積立金を記載する。その下段に保険、年金欄３を設けて毎月決まって支払う保険金、年金、ローン等の費用を記載する。そして各項目ごとに小計欄を設けておく。
【００１５】
保険、年金欄３の下段に生活費欄４を設けて生活にかかる費用、例えば電気代、水道代、ガス代、電話代、ガソリン代、そして月謝や小遣いなど毎月決まって発生する費用の予算をそれぞれ記載し、その横に実際に発生した実費を記載する欄を設ける。この実費はそれぞれ月末に支払ったり、引き落とされたりした日付、金額を記載する。そして最終段に当月の小計欄を設けて生活費の予算と実費の集計を記載する。また食費と雑費の欄は小計欄の上に設けてあり、この食費と雑費の予算は月初に記載し、実費は見開き頁右側の食費欄と雑費欄の合計額から月末に転記する。
【００１６】
毎日出費する食費と雑費については、見開き２頁のうち右側の頁（図２）に記載する。左側に食費欄を、右側に雑費欄を設けてある。食費は毎日発生するので１日〜３１日までの日付欄を設けてあり、その右側に明細欄と金額欄、累計欄を順に設ける。実際に記載する場合、食費の予算額を例えば６００００円と決めて食費予算の横に記載しておく。この予算額には必ず発生する酒代５４００円と米代５９４０円を含み、最終段にあらかじめ記載しておく。そして食費を出費する毎にその日にかかった食費を集計して金額欄に記載する。明細欄には主として購入した物をメモ書きしておく。そして累計欄へ前日分の食費を加算して記載する。月末に酒代、米代の実費を記載し、その累計額がその月の食費合計となる。
【００１７】
左側の雑費欄は、日付、明細、金額、累計の順に配列する。そして実際に使用する場合、例えばその月の予算額を４００００円とすると図２に示すように雑費予算の右側に４００００円と記載しておく。その後出費する毎に上段から日付と明細と金額を必要に応じて色分けしながら記載し、その都度累計を計算しておく。累計欄の最下段の金額が雑費合計となり予算額と比較して超過しないように管理する。
【００１８】
月末にこの図２の食費合計５９５００円（ハ）と雑費合計４１５００円（ニ）を図１の食費と雑費の実費欄（ハ）、（ニ）に転記する。そして食費と雑費を含めた生活費小計を計算し、その額２９５１００円を（ロ）に記載する。
【００１９】
次に貯蓄２の８００００円と、保険・年金３の５３０００円と、生活費の実費小計２９５１００円（ロ）を足した金額４２８１００円を（ホ）の欄に記載する。またその月に特別出費があれば後述の特別出費管理表１０からその額を(ホ)に加算する。これで１か月分の支出が明確になる。そして総収入１の小計４３００００円から前記（ホ）の４２８１００円を差し引き、その差額１９００円を過不足欄に記載する。これで１ヶ月分の収支が明確になる。
【００２０】
図３は、年間収支決算表９と特別出費管理表１０である。図１に記載した１月の収入１、貯蓄２、保険３、生活費４の支出合計及び過不足額を年間収支決算表のそれぞれの欄に記載する。そして同様に毎月管理し、年度末の１２月分まで記載したらそれぞれの合計を一番下の段に記載する。これで１年間の収支が明確になる。
【００２１】
年間収支決算表９の下段に特別出費管理表１０を設ける。この管理表１０は生活費４以外の比較的大きい金額の買い物をした時に記載する。例えば図示のようにパソコンテーブル、冷蔵庫など臨時出費が発生したときにその日付と明細、金額を記載しておく。このような欄を設けておくと後々参考のために調べるときに便利である。そして一年の終わりに集計する。
【図面の簡単な説明】
【００２２】
【図１】本考案家計簿の見開き２頁の左側頁に記載される月次別収支表である。
【図２】見開き２頁の右側頁に記載される食費と雑費の管理表である。
【図３】本考案家計簿の年度収支決算書及び特別出費管理表である。
【符号の説明】
【００２３】
１  収入欄
２  貯蓄欄
３  保険、年金欄
４  生活費欄
５  当月の支出総計欄
６  月次精算欄６
７  食費欄
８  雑費欄
９  年度収支決算書
１０  特別出費管理表
【図１】
0003128341.tif 000003
【図２】
0003128341.tif 000004
【図３】
0003128341.tif 000005